(57)【要約】 【課題】支柱枠体を安定状態で立設させて植物を良好に栽培し得る、布製プランター利用の植物栽培装置を提供する。【解決手段】有底で上端が開放した土収容部２を有する布製のプランター本体３を具える布製プランター１と、該布製プランター１に支持される５本の支柱６と、隣り合う支柱６，６相互を連結する支柱連結具５５とを具える。プランター本体３は、平面視で長方形状を呈し、長辺側の側壁部１３ａ，１３ｂの長さ方向の中央部位相互が繋ぎ片１６で連結される。繋ぎ片１６の長さ方向の中央部分と、プランター本体の隅角部分に支持筒部１０が設けられている。支持筒部１０に支柱６の下端側部分７が挿通又は挿入されて支柱６が立設状態とされ、３本の支柱６，６，６からなる支柱組の夫々について、隣り合う支柱６，６相互が支柱連結具５５で連結される。【選択図】図７
2011130758.tif 000002
【特許請求の範囲】
【請求項１】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平行する対向側壁部の長さ方向の中央部位相互が繋ぎ片で連結されることによって、前記土収容部が左右に二分割されており、
又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられており、
又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項２】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平行する対向側壁部の長さ方向の中央部位相互が繋ぎ片で連結されることによって、前記土収容部が左右に二分割されており、該繋ぎ片の下端と前記プランター本体の底面との間には左右の土収容部分を連通させる連通開口が設けられており、
又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられており、
又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項３】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平面視で長方形状を呈し、長辺側の側壁部の長さ方向の中央部位相互が繋ぎ片で連結されることによって、前記土収容部が左右に二分割されており、
又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられており、
又、前記中央の支持筒部に、中央の支柱が、その下端側部分が挿通又は挿入されて立設されると共に、前記隅角の支持筒部に、隅角の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項４】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平面視で長方形状を呈し、長辺側の側壁部の長さ方向の中央部位相互が繋ぎ片で連結されることによって、前記土収容部が左右に二分割されており、該繋ぎ片の下端と前記プランター本体の底面との間には左右の土収容部分を連通させる連通開口が設けられており、
又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられており、
又、前記中央の支持筒部に、中央の支柱が、その下端側部分が挿通又は挿入されて立設されると共に、前記隅角の支持筒部に、隅角の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項５】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平行する対向側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、
又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられており、
又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項６】
有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、
該プランター本体は、平行する対向側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、該繋ぎ片の少なくとも下側部分には、左右の土収容部分を連通させる連通開口が設けられており、
又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられており、
又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項７】
有底で上端が開放した土収容部を有する布製プランター本体を具える布製プランターと、該布製ランターに支持される５本の支柱と、隣り合う支柱相互を連結する支柱連結具とを具える布製プランター利用の植物栽培装置であって、
該プランター本体は、平面視で長方形状を呈し、長辺側の側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、
又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられており、
又、前記中央の支持筒部に下端側部分が挿通又は挿入されて中央の支柱が立設状態となされると共に、前記隅角の支持筒部に、中央の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項８】
有底で上端が開放した土収容部を有する布製プランター本体を具える布製プランターと、該布製ランターに支持される５本の支柱と、隣り合う支柱相互を連結する支柱連結具とを具える布製プランター利用の植物栽培装置であって、
該プランター本体は、平面視で長方形状を呈し、長辺側の側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、該繋ぎ片の少なくとも下側部分には、左右の土収容部分を連通させる連通開口が設けられており、
又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられており、
又、前記中央の支持筒部に下端側部分が挿通又は挿入されて中央の支柱が立設状態となされると共に、前記隅角の支持筒部に、中央の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とする布製プランター利用の植物栽培装置。
【請求項９】
前記端側の支持筒部は、前途プランター本体の内側で設けられていることを特徴とする請求項１、２、５又は６記載の植物栽培装置。
【請求項１０】
前記隅角の支持筒部は、前記プランター本体の内側で設けられていることを特徴とする請求項３、４、７又は８記載の植物栽培装置。
【請求項１１】
前記支柱連結具は、全体が樹脂製であり、直線状を呈する連結棒材の両端側をなす支柱連結部分の夫々に、前記支柱を弾性的に嵌入させ得る嵌入凹部が設けられていることを特徴とする請求項１〜８の何れかに記載の植物栽培装置。
【発明の詳細な説明】
【技術分野】
【０００１】
本発明は、支柱枠体を安定状態で立設させて植物を良好に栽培し得る、布製プランター利用の植物栽培装置に関するものである。
【背景技術】
【０００２】
本出願人は特開２００３−１８９２１号公報で、野菜栽培に適する織物製プランターを用いた植物栽培装置を提案した。該植物栽培装置を構成する織物製プランターａは、図１６に示すように、織物を用いて形成された、上端開放で土が収容される有底袋状体ｂを具えており、その側面部ｃの外面側ｄに支柱保持部ｅが設けられていた。該支柱保持部ｅは、織物製の保持布片ｆの両端部分ｇ，ｇを前記側面部ｃに縫着することにより、該保持布片ｆと該側面部ｃとの間で支柱ｈを挿通させる保持筒部ｊを形成してなるものであった。そして、該保持筒部ｊに支柱ｈの下端側部分ｋを挿通させると共に、前記有底袋状体ｂに土ｍを収容することにより、織物製プランターは安定状態で自立できると共に該収容された土ｍが該支柱ｈを背面側から押圧して支柱ｈを安定した立設状態にせんとするものであった。このように有底袋状体ｂの側面部ｃに保持筒部ｊを設ける構成を採用していたのは、収容された土ｍに支柱を直接押し込むだけでは、十分な保持力が得られないために支柱が倒れ易いことに鑑み、プランターの外面側に設けた前記保持筒部ｊで支柱ｈを保持させることにより、収容された土ｍによる支柱押圧作用を発揮させ、これにより、支柱ｈを位置規制して安定的に保持させんとするものであった。
【０００３】
そして該織物製プランターは、上端開放の有底袋状体ｂを有するため、多量の土を収容できる容積を容易に確保でき、収容土の重量で安定的に自立できると共に、多くの土を必要とする野菜栽培にあってもこれを良好に行うことができ、然も、織物製であるために折り畳みが容易であり、製品を輸送する際や小売店における販売時においてこれを小さく折り畳むことにより、輸送スペースや保管スペース、陳列スペースをそれほど必要とせずに輸送や保管、陳列を行い得る利点があった他、野菜等の栽培が終わった後は、土を排出して小さく折り畳むことができるため、その保管も容易である長所を有していた。又、織物製であるために、従来のプラスチック製や陶器製の栽培容器とは異なり、割れる恐れもない長所を有していた。
【０００４】
しかしながら、かかる織物製プランターによるときは、前記有底袋状体ｂに収容された土ｍによる支柱ｈの押圧が、前記側面部を介しての間接的なものであった。又、前記保持筒部ｊの内径は、支柱ｈの下端側部分ｋを容易に挿通させ得るように支柱の直径よりも稍大きめに形成されていた。かかることから、該保持筒部ｊに挿通された状態にある支柱ｈは、有底袋状体ｂに収容された土による押圧作用が得られるとしても、ふらついて立設状態が不安定化しやすく、栽培植物を安定的に支持できない問題があった。
【０００５】
又、有底袋状体ｂを図１７に示すように、平面視で長方形状に形成した場合は、該有底袋状体ｂに収容された土ｍの圧力で長辺側の側面部ｃ１，ｃ１が外側に膨らみ易く、土が収容状態にある有底袋状体ｂの直方体状の形態を安定的に保持できず、該有底袋状体ｂの自立が不安定化する場合があった。
【先行技術文献】
【特許文献】
【０００６】
【特許文献１】特開２００３−１８９２１号公報
【発明の概要】
【発明が解決しようとする課題】
【０００７】
本発明は、かかる従来の植物栽培装置の問題点に鑑みて開発されたものであり、布製プランタに支柱枠体を安定状態で立設させて植物を良好に栽培できる布製プランター利用の植物栽培装置（以下植物栽培装置という）の提供を課題とするものである。
【課題を解決するための手段】
【０００８】
前記問題点に鑑み、本発明は以下の手段を採用する。
即ち本発明に係る植物栽培装置は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平行する対向側壁部の長さ方向の中央部位相互が繋ぎ片で連結されることによって、前記土収容部が左右に二分割されている。又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられている。又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とするものである。
【０００９】
本発明に係る植物栽培装置の他の態様は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平行する対向側壁部の長さ方向の中央部位相互が繋ぎ片で連結されることによって、前記土収容部が左右に二分割されており、該繋ぎ片の下端と前記プランター本体の底面との間には左右の土収容部分を連通させる連通開口が設けられている。又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられている。又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とするものである。
【００１０】
本発明に係る植物栽培装置のその他の態様は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平面視で長方形状を呈し、長辺側の側壁部の長さ方向の中央部位相互が繋ぎ片で連結されることによって、前記土収容部が左右に二分割されている。又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられている、又、前記中央の支持筒部に、中央の支柱が、その下端側部分が挿通又は挿入されて立設されると共に、前記隅角の支持筒部に、隅角の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とするものである。
【００１１】
本発明に係る植物栽培装置のその他の態様は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平面視で長方形状を呈し、長辺側の側壁部の長さ方向の中央部位相互が繋ぎ片で連結されることによって、前記土収容部が左右に二分割されており、該繋ぎ片の下端と前記プランター本体の底面との間には左右の土収容部分を連通させる連通開口が設けられている。又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられている、又、前記中央の支持筒部に、中央の支柱が、その下端側部分が挿通又は挿入されて立設されると共に、前記隅角の支持筒部に、隅角の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とするものである。
【００１２】
本発明に係る植物栽培装置のその他の態様は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平行する対向側壁部の長さ方向の中央部位相互が繋ぎ片で連結されることによって、前記土収容部が左右に二分割されており、該繋ぎ片の下端は前記プランター本体の底面にまで達しており乃至その近傍にまで達している。又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられている。又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とするものである。
【００１３】
本発明に係る植物栽培装置のその他の態様は、有底で上端が開放した土収容部を有する布製のプランター本体を具える布製プランターと、該布製プランターに支持される５本の支柱と、隣り合う支柱相互を連結する支柱連結具とを具える布製プランター利用の植物栽培装置であって、該プランター本体は、平行する対向側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、該繋ぎ片の下端と前記プランター本体の底面との間には左右の土収容部分を連通させる連通開口が設けられている。又、該繋ぎ片の長さ方向の中央部分には、前記支柱の下端側部分を挿通又は挿入させる孔部を有する中央の支持筒部が、孔心を上下方向にして設けられると共に、前記プランター本体の前記対向側壁部の夫々の側壁部の両端側には、前記支柱の下端側部分を挿通又は挿入させる孔部を有する端側の支持筒部が、孔心を上下方向にして設けられている。又、前記中央の支持筒部に、中央の支柱が、その下端側部分が挿通又は挿入されて立設されると共に、前記端側の支持筒部に、端側の支柱が、その下端側部分が挿通又は挿入されて立設された状態で、該中央の支柱と前記一方の土収容部分で立設された２本の端側の支柱とを第１の支柱組とし、該中央の支柱と前記他方の土収容部分で立設された２本の端側の支柱とを第２の支柱組としたとき、該第１の支柱組及び該第２の支柱組に関して、隣り合う支柱相互が前記支柱連結具で連結されることを特徴とするものである。
【００１４】
本発明に係る植物栽培装置のその他の態様は、有底で上端が開放した土収容部を有する布製プランター本体を具える布製プランターと、該布製ランターに支持される５本の支柱と、隣り合う支柱相互を連結する支柱連結具とを具える布製プランター利用の植物栽培装置であって、該プランター本体は、平面視で長方形状を呈し、長辺側の側壁部の長さ方向の中央部位相互が繋ぎ片で連結されることによって、前記土収容部が左右に二分割されており、該繋ぎ片の下端は前記プランター本体の底面にまで達しており乃至その近傍にまで達している。又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられている。又、前記中央の支持筒部に下端側部分が挿通又は挿入されて中央の支柱が立設状態となされると共に、前記隅角の支持筒部に、中央の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とするものである。
【００１５】
本発明に係る植物栽培装置のその他の態様は、有底で上端が開放した土収容部を有する布製プランター本体を具える布製プランターと、該布製ランターに支持される５本の支柱と、隣り合う支柱相互を連結する支柱連結具とを具える布製プランター利用の植物栽培装置であって、該プランター本体は、平面視で長方形状を呈し、長辺側の側壁部の長さ方向の中央部位相互が繋ぎ片で連結されることによって、前記土収容部が左右に二分割されており、該繋ぎ片の下端は前記プランター本体の底面にまで達しており乃至その近傍にまで達しており、該繋ぎ片の下端と前記プランター本体の底面との間には左右の土収容部分を連通させる連通開口が設けられている。又、該繋ぎ片の長さ方向の中央部分には、前記支柱の下端側部分を挿通又は挿入させる孔部を有する中央の支持筒部が、孔心を上下方向にして設けられると共に、前記プランター本体の隅角部分には、前記支柱の下端側部分を挿通又は挿入させる孔部を有する隅角の支持筒部が、孔心を上下方向にして設けられている。又、前記中央の支持筒部に下端側部分が挿通又は挿入されて中央の支柱が立設状態となされると共に、前記隅角の支持筒部に、中央の支柱が、その下端側部分が挿通又は挿入されて立設された状態で、該中央の支柱と前記一方の土収容部分で立設された２本の隅角の支柱とを第１の支柱組とし、該中央の支柱と前記他方の土収容部分で立設された２本の隅角の支柱とを第２の支柱組としたとき、該第１の支柱組及び該第２の支柱組に関して、隣り合う支柱相互が前記支柱連結具で連結されることを特徴とするものである。
【００１６】
前記の各植物栽培装置において、前記端側の支持筒部や隅角の支持筒部は、前記プランター本体の内側で設けるのがよい。
【００１７】
前記の各植物栽培装置において、前記支柱連結具は、全体を樹脂製とし、直線状を呈する連結棒材の両端側をなす支柱連結部分の夫々に、前記支柱を弾性的に嵌入させ得る嵌入凹部を設けたものとして構成するのがよい。
【発明の効果】
【００１８】
本発明に係る植物栽培装置は、以下の如き優れた効果を奏する。
(1) 本発明に係る植物栽培装置を構成する布製プランターは、布製のプランター本体を具える。該布製プランターは折り畳みが容易であり、輸送スペースや保管スペース、陳列スペースをそれ程必要とせずに輸送や保管、陳列を行い得るなど布製の利点を有する。
【００１９】
(2) そして、本発明に係る植物栽培装置を構成する布製プランターは、平面視で長方形状を呈するプランター本体の長辺側の側壁部の長さ方向の中央部位相互等、プランター本体の、平行する対向側壁部の長さ方向の中央部位相互を繋ぎ片で連結する構成を採用しているため、該対向側壁部間の間隔を一定に規制できる。かかることから、プランター本体に収容された土の圧力で該対向側壁部が外側に膨らむのを防止できる。それ故、土が収容された布製プランターの長方形状や正方形状等の形状を良好に保持できることとなり、その設置状態の安定化を確保でき、植物栽培を良好に行なうことができる。
【００２０】
(3) 又、前記繋ぎ片の長さ方向の中央部分において、中央の支持筒部が孔心を上下方向にして設けられているため、中央の支柱を、その下端側部分を該中央の支持筒部に挿通又は挿入させて立設状態となし得る。これによって、該中央の支柱を兼用して、左右の土収容部分の夫々において、該中央の支柱と前記対向側壁部間の夫々の側壁部の両端側の支持筒部で立設された２本の支柱とにより左右２組の支柱組を形成できる。そして、各支柱組に関し、隣り合う支柱相互を支柱連結具で連結することにより、布製プランターを用いながら、平面視で正三角形状乃至二等辺三角形状を呈する安定構造の三角形枠状を呈する支柱枠体を左右隣り合わせて構成できるため、これらの支柱枠体を用いて、左右の土収容部分の夫々で植物を良好に栽培できることになる。
【００２１】
(4) 前記繋ぎ片の下端と前記プランター本体の底面との間に、左右の土収容部分を連通させる連通開口を設ける場合は、前記繋ぎ片で２分割された左右の土収容部分に収容された土に関し、水分や養分が左右行き来できることとなる。このことは、左右の土収容部分の夫々で植物を栽培する際の植物の生長の均一化に寄与することともなる。
【００２２】
(5) 前記布製プランターの前記端側の支持筒部や前記隅角の支持筒部をプランター本体の側壁部の内側で設ける場合は、側壁部の内側に設けられた布製の支持筒部に支柱の下端側部分が挿通又は挿入された状態で前記プランター本体に土が収容されることにより、該収容された土の重量と土による押し付け作用によって該支持筒部が潰れ、該潰れた支持筒部が支柱の下端側部分の内面側に密着状態となると共に、支柱の下端側部分の外面側が布製プランターの側壁部で外側から安定状態で支持されることになる。これにより、支柱は、確実に位置規制されて安定した立設状態となり得る。
かかることから本発明によるときは、支柱の位置決め立設を容易に行うことができながら該支柱を安定状態で立設させることができ、これにより、植物を良好に栽培できることになる。
【図面の簡単な説明】
【００２３】
【図１】本発明に係る布製プランターに支柱を立設した状態を示す斜視図である。
【図２】布製プランターを示す斜視図である。
【図３】布製プランターを示す平面図である。
【図４】布製プランターを示す断面図である。
【図５】布製プランターの製造工程を説明する斜視図である。
【図６】側壁部形成片を用いて支持筒部を形成する縫製工程を説明する平面図である。
【図７】本発明に係る布製プランターを用いて構成された植物栽培装置を示す斜視図である。
【図８】その平面図である。
【図９】支柱相互を連結する支柱連結具を示す斜視図と、その支柱挾持部に支柱を嵌入させた状態を示す部分平面図である。
【図１０】支持筒部に支柱の下端側部分が挿入された状態と、土収容部に収容された土によって支持筒部が支柱と密着した状態を示す断面図である。
【図１１】平面視で楕円形状を呈するプランター本体を具える布製プランターを示す平面図である。
【図１２】繋ぎ片の他の態様を示す斜視図である。
【図１３】繋ぎ片のその他の態様を示す斜視図である。
【図１４】繋ぎ片のその他の態様を示す斜視図である。
【図１５】布製プランターのその他の態様を示す斜視図である。
【図１６】従来の織物製プランターの一例を示す斜視図である。
【図１７】従来の織物製プランターの他の例を示す斜視図である。
【発明を実施するための形態】
【実施例１】
【００２４】
図１〜４において、本発明に係る、布製プランター利用の植物栽培装置（以下、植物栽培装置という）Ａは、布製プランター１と、該布製プランター１に支持される５本の支柱６，６，６，６，６と、隣り合う支柱６，６相互を連結する支柱連結具５５とを具えるものである。
【００２５】
該布製プランター１は、図１〜４に示すように、有底で上端２ａが開放した土収容部２を有する布製のプランター本体３の側壁部４の内側５に、支柱６の下端側部分７を挿入させる孔部９を具えた布製の支持筒部１０が、孔心を上下方向にして設けられている。
【００２６】
前記プランター本体３は、全体が例えばポリエステル製の比較的厚手の不織布を用いて構成されており、平面視で長方形状を呈する直方体状容器として構成されている。その長辺１１（図３）の長さは例えば３０〜５０ｃｍに、本実施例においては約４７ｃｍに設定されると共に、その短辺１２の長さは例えば２５〜４０ｃｍに、本実施例においては約２７ｃｍに設定され、その深さは約２５ｃｍに設定されている。これによって、例えば３０リットル程度の大容積の布製プランターを構成できることとなる。
【００２７】
そして図１〜４に示すように、長辺側の側壁部（平行する対向側壁部１３，１３）１３ａ，１３ｂの長さ方向の中央部位１５，１５相互が繋ぎ片１６で連結されることによって、前記土収容部２が左右の土収容部分１７，１９に二分割されている。該繋ぎ片１６は、本実施例においては前記と同様の不織布を用いて形成された横長矩形状片として形成されており、その両端部分２０，２０が前記中央部位１５，１５に縫着されている。そして、該繋ぎ片１６の下端２１と前記プランター本体３の底面４４（底部２２の上面２３）との間には、左右の土収容部分１７，１９を連通させる連通開口２４が設けられている。
【００２８】
又、図１〜４に示すように、前記プランター本体３の４つの端部分（本実施例においては４つの隅角部分）２５，２５，２５，２５の内側には、前記支柱６の下端側部分７を挿入させる前記孔部９を有する端側（本実施例においては隅角）の支持筒部１０ａ，１０ａ，１０ａ，１０ａが、プランター本体３と一連に、孔心を上下方向にして設けられている。又、前記繋ぎ片１６の長さ方向の中央部分の一面側に、前記支柱６の下端側部分７を挿入させる孔部９を有する中央の支持筒部１０ｂが、前記繋ぎ片１６と一連に、孔心を上下方向にして設けられている。
【００２９】
該隅角の支持筒部１０ａ及び中央の支持筒部１０ｂは、支柱６の下端側部分７を容易に挿入させることができるように、その直径を、支柱６の直径よりも稍大きめに設定している。
【００３０】
図５〜６は、前記隅角の支持筒部１０ａ，１０ａ，１０ａ，１０ａが設けられてなるプランター本体３の製造工程を示すものであり、不織布からなり且つ一方向に長い帯状の側壁部形成片２６と、不織布からなり且つ長方形状の底部形成片２７とを用いて、縫製により形成する場合を示している。なお本実施例においては、該底部形成片２７は、排水性と通気性が良好な不織布を用いて形成されており、前記側壁部形成片２６は、撥水性が良好であって通気性も有する不織布を用いて形成されている。
【００３１】
前記側壁部形成片２６は、図５〜６に示す直方体筒部２８を形成するものであり、一方の短辺側の側壁部３０ａに続けて、一方の長辺側の側壁部１３ａを連設するに際し、該連設部分３１で、該直方体筒部２８の内側２９においてループ状の屈曲部３２を形成し、その根元部３３，３３相互を、前記側壁部形成片２６の幅方向（以下上下方向という）に縫製し、これにより、前記隅角の支持筒部１０ａを形成する。そして、該一方の長辺側の側壁部１３ａに続けて他方の短辺側の側壁部３０ｂを連設するに際し、該連設部分３５で、前記内側２９においてループ状の屈曲部３２を形成し、その根元部３３，３３相互を上下方向に縫製することにより前記隅角の支持筒部１０ａを形成する。又、該他方の短辺側の側壁部３０ｂに続けて他方の長辺側の側壁部１３ｂを連設するに際し、該連設部分３６で、前記内側２９に位置させてループ状の屈曲部３２を形成し、その根元部３３，３３相互を上下方向に縫製することにより前記隅角の支持筒部１０ａを形成する。そして更に、該他方の長辺側の側壁部１３ｂに続けて一方の短辺側の側壁部３０ａを連設するに際し、他方の長辺側の側壁部１３ｂの端部側の突出片３７を前記内側２９でループ状に屈曲させると共に、該ループ状の屈曲部３２の根元部３３，３３間で一方の短辺側の側壁部３０ａの端部分３９を挾み、その全体をその根元部３３，３３で上下方向に縫製することにより、前記隅角の支持筒部１０ａを形成する。このようにして縫製すれば、直方体筒部２８の形成過程で隅角の支持筒部１０ａが同時に構成されることになる。このようにして構成された隅角の支持筒部１０ａは、本実施例においては、その下端４０（図４）が開放状態とされている。
【００３２】
そして、前記底部形成片２７の縁部分４１と前記直方体筒部２８の下端部分４２とを、前記内側２９において重ね合わせ、周方向に縫製する。このように縫製によって形成すれば、隅角の支持筒部１０ａ，１０ａ，１０ａ，１０ａが設けられてなる布製プランター１を構成するに際し、隅角の支持筒部１０ａと直方体筒部２８とを縫製により簡易且つ能率的に一体に形成できることになる。
【００３３】
該プランター本体３は、その底部２２（図４）は排水性が良好であり、その側壁部４は、排水不良で、撥水性が良好である。このように側壁部４は排水不良であることから、内部から泥水が染み出る恐れがなく、側壁部４の表面が汚損されない。又、側壁部４は撥水性が良好であることから、側壁部４の表面に汚れが付着しにくい。又、前記繋ぎ片１６は、図３（Ｃ）に示すように、その長さ方向の中央部分においてループ状に屈曲され、該ループ状の屈曲部４３の根元部３３，３３相互が該繋ぎ片１６の幅方向（上下方向）で縫製されることにより、前記中央の支持筒部１０ｂが形成されている。そして、該繋ぎ片１６の両端部分２０，２０が、前記長辺側の側壁部１３，１３の中央部位１５，１５に夫々縫製されている。これによって、図４に示すように、該繋ぎ片１６の下端２１とプランター本体３の底面４４（底部２２の上面２３）との間に、本実施例においては約１１ｃｍの間隔が設けられ、前記連通開口２４が形成されている。
【００３４】
又、本実施例においては図２に示すように、前記長辺側の側壁部１３，１３の上部分の外面中央部両側に、逆Ｕ字状をなす不織布製の持ち手布片４６の両端部分４７，４７が重ね合わせられて縫着されることにより、持ち手４９，４９が形成されている。
【００３５】
又本実施例においては、各側壁部１３ａ，１３ｂ，３０ａ，３０ｂの目立ちにくい下側部分に位置させて、水抜き孔５０が適宜設けられている。この水抜き孔５０は、前記底部２２（図４）での排水が不良となったときにプランター内部の排水を確保する上で役立つ。
【００３６】
図７〜８は、かかる構成を有する布製プランター１を用いて植物栽培装置Ａを構成した状態を示すものである。そのために、図１に示すように、前記隅角の支持筒部１０ａ，１０ａ，１０ａ，１０ａに隅角の支柱６ａの下端側部分７を挿入乃至挿通し、図４に示すように、支柱下端５１を前記底面４４に載せて、隅角の支柱６ａ，６ａ，６ａ，６ａを立設状態とすると共に、中央の支持筒部１０ｂに中央の支柱６ｂの下端側部分７を挿通させ、支柱下端５１を前記底面４４に載せて、該中央の支柱６ｂを立設状態とする。該隅角の支柱６ａ及び該中央の支柱６ｂの長さは、栽培せんとする植物に合わせて設定されるものであり、例えば１００〜１８０ｃｍに設定される。
【００３７】
そして、このように５本の支柱６ａ，６ａ，６ａ，６ａ，６ｂが立設されることによって、図７〜８に示すように、中央の支柱６ｂと前記一方の土収容部分１７で立設された２本の隅角の支柱６ａ，６ａとにより第１の支柱組５２が形成されると共に、該中央の支柱６ｂと前記他方の土収容部分１９で立設された２本の隅角の支柱６ａ，６ａとにより第２の支柱組５３が形成される。そして該第１の支柱組５２及び第２の支柱組５３に関して、図７〜８に示すように、隣り合う支柱６，６相互が支柱連結具５５で連結されることにより、図８に示すように、平面視で、正三角形状乃至二等辺三角形状を呈する安定構造の支柱枠体５６，５６が左右隣り合わせて構成されることになる。
【００３８】
該支柱連結具５５は、図９に示すように、全体が合成樹脂製であり、直線状を呈する連結棒材５７の両端側をなす支柱連結部分５９，５９の夫々に支柱挾持部６０が設けられている。該支柱挾持部６０は、前記支柱６を嵌入させる嵌入凹部６１を有し該嵌入凹部６１に嵌入された支柱６を弾性的に挾持し得るＣ字状の挾持部本体６２を具え、該挾持部本体６２の支柱導入口６３の開口幅は前記支柱６の径よりも小さく形成されると共に、該支柱導入口６３の両端部６５，６５に、両者間の幅が先端に向けて拡大するハの字状を呈するように互いに逆方向にガイド片６６，６６が突設されている。本実施例においては各支柱連結部分５９，５９の夫々に、支柱挾持部６０が所要間隔を置いて３個づつ設けられている。このように支柱挾持部６０を複数個設けているのは、立設状態とされた隣り合う支柱６，６間の間隔の大小に応じられるようにするためである。
【００３９】
このようにして隣り合う支柱６，６相互を支柱連結具５５で連結するに先立って或いは連結した後に、図７に示すように、左右の土収容部分１７，１９に土６４が収容され、例えばベランダや庭先、室内等において野菜や花等の植物の栽培を行うことができる。その際、前記左右の支柱枠体５６，５６によって、同種又は異種の植物（ピーマンやナス、トマト、花等）を左右に一株ずつ栽培できることになる。
【００４０】
土収容部２に土６４が収容されることにより、布製プランター１は、収容された土がウエイトとなって安定的に自立できる。そして、当初は図１０（Ａ）の状態にあった各支持筒部１０は、例えば図１０（Ｂ）に示すように、収容された土６４の重量と土による押し付け作用によって潰れ、前記支柱６の下端側部分７の内面側６７に密着状態となると共に、該支柱６の下端側部分７の外面側６８が前記布製プランター１の隅角部分２５で外側から安定状態で支持されることになる。これにより、支柱６は確実に位置決めされて安定した立設状態となる。然も前記のように、隣り合う支柱６，６相互が支柱連結具５５で連結されているため、左右の土収容部分１７，１９において、中央の支柱６ｂを兼用した状態で、平面視で正三角形状乃至二等辺三角形状を呈する左右２連の支柱枠体５６，５６が安定状態で構成されることになるのである。
【００４１】
そして、支柱６がこのように布製プランター１の隅角部分２５に押圧されるため、該隅角部分２５（図７）の上下直線性が確保されることになる。然も、前記繋ぎ片１６が、長辺側の側壁部１３，１３間の間隔を所要に保持するため、収容された土６４の圧力で該長辺側の側壁部１３，１３が外側に膨らむのを防止でき、土収容部２に土６４が収容された状態にある布製プランター１の直方体状の形態を安定的に保持できることとなる。又、繋ぎ片１６の下端２１と前記プランター本体３の底面４４との間に、左右の土収容部分１７，１９を連通させる連通開口２４が設けられているため、左右の土収容部分１７，１９に収容された土６４，６４に関し、水分や養分が左右行き来できる。
【００４２】
加えて前記布製プランター１は、全体が不織布を以て構成されているため、折り畳みが容易であり、製品を輸送する際や小売店における販売時においてこれを小さく折り畳むことにより、輸送スペースや保管スペース、陳列スペースをそれほど必要とせずに輸送や保管、陳列を行い得ることとなる。又、野菜栽培等が終わった後は、土を排出させて小さく折り畳むことができるため、その保管も容易である。更に、全体が不織布製であるために、従来のプラスチック製や陶器製の栽培容器とは異なり、割れる恐れもない。
【実施例２】
【００４３】
本発明は、前記実施例で示したものに限定されるものでは決してなく、「特許請求の範囲」の記載内で種々の設計変更が可能であることはいうまでもない。その一例を挙げれば次のようである。
【００４４】
(1) 本発明に係る布製プランター１が、平行する対向側壁部１３，１３の長さ方向の中央部位１５，１５相互が繋ぎ片１６で連結されることによって、前記土収容部２が左右に二分割される場合、前記プランター本体３は、図３に示すような、平面視で長方形状を呈するものには限られず、例えば図１１に示すように、対向側壁部１３，１３の向き合う端部６９，６９相互が円弧状の連結側壁部７０，７０で接合されて、平面視で楕円形状を呈したものとして構成されることもある。この場合は、該対向側壁部１３，１３の両端側の内側５，５に、前記端側の支持筒部１０，１０，１０，１０が設けられる。
該対抗側壁部１３，１３相互を連結する連結側壁部７０，７０の形態によって、前記プランター本体３は、平面視で、前記した長方形状や楕円形状の他、正方形状や六角形状等の各種の所望形態に構成することもできる。
そして、このように構成するときも、平行する対向側壁部１３，１３の長さ方向の中央部位１５，１５相互を繋ぎ片１６で連結してもよい。
【００４５】
(2) 該繋ぎ片１６の下端２１と前記プランター本体３の底部２２の上面２３との間に連通開口２４を設ける場合、該連通開口２４の上下幅は、左右の土収容部分１７，１９に関し、水分や肥料分を行き来させることができると共に、該繋ぎ片１６がプランター本体３の形状保形機能を発揮する限り、所要に設定できる。
【００４６】
(3) 図１２〜１３は、前記繋ぎ片１６の下端２１を前記プランター本体３の底面４４にまで達する状態とした場合を示している。特に図１３においては、該繋ぎ片１６の少なくとも下端側部分７に、左右の土収容部分１７，１９を連通させる連通開口２４が設けられた場合が示されている。
これらの場合、繋ぎ片１６の下端２１は、必ずしも該底面４４にまで達していることは必要ではなく、該底面４４の近傍にまで達する状態とされることもある。即ち、該繋ぎ片１６の下端２１と該底面４４との間に多少の開口が設けられた状態とされることもある。
図１２〜１３においては、前記中央の支持筒部１０ｂが前記繋ぎ片１６の上下全幅に亘って形成されており、該中央の支持筒部１０ｂの下端７１は開放している。図１４〜１５は、中央の支柱６ｂの下端側部分７を該中央の支持筒部１０ｂに挿通させ、支柱下端７２を前記底面４４に載せた状態を示している。
【００４７】
(4) 前記繋ぎ片１６は、その上端７３（図２）が前記プランター本体３の上端７５（図２）にまで達していてもよい。
【００４８】
(5) 前記繋ぎ片１６に中央の支持筒部１０ａを設ける場合、例えば図１４（Ａ）（Ｂ）（Ｃ）に示すように、該繋ぎ片１６の両側に突出する状態で突出片７６，７６を設け、両突出片７６，７６によって前記中央の支持筒部１０ｂを構成する場合もある。
【００４９】
(6) 前記支持筒部１０ｂは、前記実施例においては、その下端４０，７１が開放状態とされているが、その下端部を縫製して有底筒状に形成してもよい。
【００５０】
(7) 前記隅角の支持筒部１０ａ及び前記中央の支持筒部１０ｂは、前記のように上下一連状態に設けられた１本の筒部として構成されることの他、上下複数段に、例えば上下２段に、孔心を合致させて設けることもある。
又該支持筒部１０は、前記のように縫製により形成することの他、別体形成された、前記孔部９を有する筒状片やループ状片を、縫製や熱融着等によって固定して設けることもできる。
【００５１】
(8) 前記植物栽培装置Ａに関し、前記プランター本体３に設ける前記隅角の支持筒部１０ａは、図１５に示すようにプランター本体３の出隅７７側に設けられることもある。
この場合は、同図に示すように、前記直方体筒部２８を形成する際に、ループ状の屈曲部３２を出隅側に設け、該屈曲部３２の根元部３３，３３相互を縫製することによって、前記支持筒部１０ａを構成することができる。
【００５２】
(9) 前記支柱６は、前記実施例で示したような表面が平滑なものとして構成されることの他、蔓性植物引っ掛かり用等の目的で用いられる突部が、支柱の長さ方向に不連続状態で突設されたものとして構成されることもある。
【００５３】
(10)前記プランター本体３は、前記不織布を用いて構成することの他、織物や編物を用いて構成することもできる。
【符号の説明】
【００５４】
Ａ  植物栽培装置
１  布製プランター
２  土収容部
３  プランター本体
４  側壁部
５  内面
７  下端側部分
９  孔部
１０  支持筒部
１１  長辺
１２  短辺
１３  長辺側の側壁部
１５  中央部位
１６  繋ぎ片
１７  土収容部分
１９  土収容部分
２１  繋ぎ片の下端
２２  底部
２３  上面
２４  連通開口
２５  端部分
３０  短辺側の側壁部
３２  ループ状の屈曲部
３３  根元部
５２  第１の支柱組
５３  第２の支柱組
５５  支柱連結具
５６  支柱枠体
５７  連結棒材
５９  支柱連結部分
６０  支柱挾持部
６４  土
７０  連結側壁部
【図１】
2011130758.tif 000003
【図２】
2011130758.tif 000004
【図３】
2011130758.tif 000005
【図４】
2011130758.tif 000006
【図５】
2011130758.tif 000007
【図６】
2011130758.tif 000008
【図７】
2011130758.tif 000009
【図８】
2011130758.tif 000010
【図９】
2011130758.tif 000011
【図１０】
2011130758.tif 000012
【図１１】
2011130758.tif 000013
【図１２】
2011130758.tif 000014
【図１３】
2011130758.tif 000015
【図１４】
2011130758.tif 000016
【図１５】
2011130758.tif 000017
【図１６】
2011130758.tif 000018
【図１７】
2011130758.tif 000019